(57)【要約】      （修正有）【課題】小型かつ簡単な構成で、ディスプレイの傾斜保持角度に経時的変化が生じる事なく、思わぬ破損が生じにくい安価なラッチ機構付きヒンジ装置を用いた情報機器を提供する。【解決手段】タブレット型ディスプレイとこのタブレット型ディスプレイを所定角度で支持する支持部材Ｂとの間に設けられるラッチ機構付きヒンジ装置Ｃであって、ヒンジ部とラッチ機構から成り、前記ヒンジ部は、前記タブレット型ディスプレイの側に取り付けられるベース部材４と、このベース部材の取付基板部４ａより立ち上げた軸受部４ｂに回動可能に取り付けたヒンジシャフト５とで構成し、前記ラッチ機構は、前記ヒンジシャフトへ共に回転可能となるように取り付けられたラッチ用ギア１１と、前記ヒンジシャフトと直交する方向に回転可能に設けられ、前記ラッチ用ギアの歯部１１ｂとその回転方向により係合する係止用爪部１３ａを有する解除レバー１３とで構成することで解決した。【選択図】図８
2014214783.tif 000002
【特許請求の範囲】
【請求項１】
タブレット型ディスプレイとこのタブレット型ディスプレイを所定角度で支持する支持部材との間に設けられるラッチ機構付きヒンジ装置であって、ヒンジ部とラッチ機構から成り、前記ヒンジ部は、前記タブレット型ディスプレイの側に取り付けられるベース部材と、このベース部材の取付基板部より立ち上げた軸受部に回動可能に取り付けられたヒンジシャフトとで構成し、前記ラッチ機構は、前記ヒンジシャフトへ共に回転可能となるように取り付けられたラッチ用ギアと、前記ヒンジシャフトと直交する方向に回転可能に設けられ、前記ラッチ用ギアの歯部とその回転方向により係合する係止用爪部を有する解除レバーとで構成したことを特徴とする、ラッチ機構付きヒンジ装置。
【請求項２】
タブレット型ディスプレイとこのタブレット型ディスプレイを所定角度で支持する支持部材との間に設けられるラッチ機構付きヒンジ装置であって、ヒンジ部とラッチ機構から成り、前記ヒンジ部は、前記タブレット型ディスプレイの側に取り付けられるベース部材と、このベース部材の取付基板部より立ち上げた軸受部に回動可能に取り付けられたヒンジシャフトとで構成し、前記ラッチ機構は、前記ヒンジシャフトへ共に回転可能となるように取り付けられたラッチ用ギアと、前記ヒンジシャフトに挿通されると共に前記ベース部材に対して前記ヒンジシャフトの軸方向へスライド可能に取り付けられたところの前記ラッチ用ギアとその回転方向により係合する係止用歯部を設けたスライド部材と、このスライド部材を前記ラッチ用ギアの方向へ摺動付勢させるために前記ヒンジシャフトに取り付けられた弾性手段と、前記スライド部材に取り付けられ前記ラッチ用ギアと前記係止用歯部との間の係合を解除する解除レバーとで構成したことを特徴とする、ラッチ機構付きヒンジ装置。
【請求項３】
タブレット型ディスプレイとこのタブレット型ディスプレイを所定角度で支持する支持部材との間に設けられるラッチ機構付きヒンジ装置であって、ヒンジ部とラッチ機構から成り、前記ヒンジ部は、前記タブレット型ディスプレイの側に取り付けられるベース部材と、このベース部材の取付基板部より立ち上げた軸受部に回動可能に取り付けられたヒンジシャフトと、このヒンジシャフトと前記軸受部との間に設けられたフリクションワッシャーとスプリングワッシャーから成るチルト機構とで構成し、前記ラッチ機構は、前記ヒンジシャフトへ共に回転可能となるように取り付けられたラッチ用ギアと、前記ヒンジシャフトと直交する方向に回転可能に設けられ、前記ラッチ用ギアの歯部とその回転方向により係合する係止用爪部を有し前記ベース部材に対し前記ヒンジシャフトと直交する方向に回転可能に取り付けた解除レバーとで構成したことを特徴とする、ラッチ機構付きヒンジ装置。
【請求項４】
タブレット型ディスプレイとこのタブレット型ディスプレイを所定角度で支持する支持部材との間に設けられるラッチ機構付きヒンジ装置であって、ヒンジ部とラッチ機構から成り、前記ヒンジ部は、前記タブレット型ディスプレイの側に取り付けられるベース部材と、このベース部材の取付基板部より立ち上げた軸受部に回動可能に取り付けられたヒンジシャフトと、このヒンジシャフトと前記軸受部との間に設けられたフリクションワッシャーとスプリングワッシャーから成るチルト機構とで構成し、前記ラッチ機構は、前記ヒンジシャフトへ共に回転可能となるように取り付けられたラッチ用ギアと、前記ヒンジシャフトに挿通されると共に前記ベース部材に対して前記ヒンジシャフトの軸方向へスライド可能に取り付けられたところの前記ラッチ用ギアとその回転方向により係合する係止用歯部を設けたスライド部材と、このスライド部材を前記ラッチ用ギアの方向へ摺動付勢させるために前記ヒンジシャフトに取り付けられた弾性手段と、前記スライド部材に取り付けられ前記ラッチ用ギアと前記係止用歯部との間の係合を解除する解除レバーとで構成したことを特徴とする、ラッチ機構付きヒンジ装置。
【請求項５】
前記支持部材が、タブレット型ディスプレイのスタンド脚部、スタンド、架台、或はタブレットカバーであることを特徴とする、請求項１〜４のいずれか１項に記載のラッチ機構付きヒンジ装置。
【請求項６】
前記ヒンジシャフトには、所定の回転角度によって停止されるストッパーピンが設けられていることを特徴とする、請求項１〜５に各記載のラッチ機構付きヒンジ装置。
【請求項７】
前記スライド部材は、前記ベース部材の取付基板部に設けたレール部に対してスライド可能に係止されていることを特徴とする、請求項４に記載のラッチ機構付きヒンジ装置。
【請求項８】
請求項１乃至７に各記載のラッチ機構付きヒンジ装置をタブレット型ディスプレイとその支持部材との間に用いたことを特徴とする、情報機器。
【発明の詳細な説明】
【技術分野】
【０００１】
本発明は、例えば情報機器のタブレット型ディスプレイを、載置台上に置いて適宜角度で保持する際に用いるスタンド脚部などの支持部材に用いて好適なラッチ機構付きヒンジ装置並びにこのラッチ機構付きヒンジ装置を用いた情報機器に関するものである。
【背景技術】
【０００２】
情報機器の一例であるとくにタブレット型ディスプレイは、これを机などの載置台上に傾けて置いて使用する場合があり、その際に専用のスタンドを用いる場合がある。その際に用いるヒンジ装置として、下記特許文献１に示したものが公知である。
【０００３】
また、ノートパソコンのように、ディスプレイを装置本体に対してチルトヒンジ装置を介して開閉可能に取り付けたものも、例えば下記特許文献２に記載したように公知である。
【先行技術文献】
【特許文献】
【０００４】
【特許文献１】特開２０１０−８７９９１号公報
【特許文献２】特開２０１２−１４２７４６号公報
【発明の概要】
【発明が解決しようとする課題】
【０００５】
上記特許文献１に記載されたヒンジ装置は、構成部品が多く、装置そのものも大型であることから、製作コストが高くつくという問題がある上に、不使用時において嵩張る上に、収納場所にも場所をとるという問題があった。
【０００６】
上記特許文献２に記載されたものは、ディスプレイを装置本体に対し開閉させる場合に、左右方向、或いは上下方向のどちら側の回転時においても規制がないために、思わぬ力がディスプレイに加わり、使用中にディスプレイに対する保持角度が変化してしまうといった問題があった。
【０００７】
タブレット型ディスプレイは、画面上に表示されたキーなどを指で操作するので、とくに文字入力を行う際には、ディスプレイを起き上がらせて傾斜状態に保持させる支持部材があることが望ましい。
【０００８】
本発明は、前記問題点を解決するためになされたもので、その目的とするところは、小型、かつ構成が簡単で、本発明に係るラッチ機構付きヒンジ装置を用いた情報機器の回転方向に規制を与えることにより、ディスプレイの傾斜保持角度に経時的変化が生じないようにし、かつ思わぬ破損が生じないように成した、安価なラッチ機構付きヒンジ装置並びにこのラッチ機構付きヒンジ装置を用いた情報機器を提供せんとするにある。
【課題を解決するための手段】
【０００９】
前記の目的を達成するための本発明の請求項１に係るラッチ機構付きヒンジ装置は、タブレット型ディスプレイとこのタブレット型ディスプレイを所定角度で支持する支持部材との間に設けられるラッチ機構付きヒンジ装置であって、ヒンジ部とラッチ機構から成り、前記ヒンジ部は、前記タブレット型ディスプレイの側に取り付けられるベース部材と、このベース部材の取付基板部より立ち上げた軸受部に回動可能に取り付けられたヒンジシャフトとで構成し、前記ラッチ機構は、前記ヒンジシャフトへ共に回転可能となるように取り付けられたラッチ用ギアと、前記ヒンジシャフトと直交する方向に回転可能に設けられ、前記ラッチ用ギアの歯部とその回転方向により係合する係止用爪部を有する解除レバーとで構成したことを特徴とする。
【００１０】
また、請求項２に係るラッチ機構付きヒンジ装置は、タブレット型ディスプレイとこのタブレット型ディスプレイを所定角度で支持する支持部材との間に設けられるラッチ機構付きヒンジ装置であって、ヒンジ部とラッチ機構から成り、前記ヒンジ部は、前記タブレット型ディスプレイの側に取り付けられるベース部材と、このベース部材の取付基板部より立ち上げた軸受部に回動可能に取り付けられたヒンジシャフトとで構成し、前記ラッチ機構は、前記ヒンジシャフトへ共に回転可能となるように取り付けられたラッチ用ギアと、前記ヒンジシャフトに挿通されると共に前記ベース部材に対して前記ヒンジシャフトの軸方向へスライド可能に取り付けられたところの前記ラッチ用ギアとその回転方向により係合する係止用歯部を設けたスライド部材と、このスライド部材を前記ラッチ用ギアの方向へ摺動付勢させるために前記ヒンジシャフトに取り付けられた弾性手段と、前記スライド部材に取り付けられ前記ラッチ用ギアと前記係止用歯部との間の係合を解除する解除レバーとで構成したことを特徴とする。
【００１１】
さらに、請求項３に係るラッチ機構付きヒンジ装置は、タブレット型ディスプレイとこのタブレット型ディスプレイを所定角度で支持する支持部材との間に設けられるラッチ機構付きヒンジ装置であって、ヒンジ部とラッチ機構から成り、前記ヒンジ部は、前記タブレット型ディスプレイの側に取り付けられるベース部材と、このベース部材の取付基板部より立ち上げた軸受部に回動可能に取り付けられたヒンジシャフトと、このヒンジシャフトと前記軸受部との間に設けられたフリクションワッシャーとスプリングワッシャーから成るチルト機構とで構成し、前記ラッチ機構は、前記ヒンジシャフトへ共に回転可能となるように取り付けられたラッチ用ギアと、前記ヒンジシャフトと直交する方向に回転可能に設けられ、前記ラッチ用ギアの歯部とその回転方向により係合する係止用爪部を有し前記ベース部材に対し前記ヒンジシャフトと直交する方向に回転可能に取り付けた解除レバーとで構成したことを特徴とする。
【００１２】
さらに、請求項４に係るラッチ機構付きヒンジ装置は、タブレット型ディスプレイとこのタブレット型ディスプレイを所定角度で支持する支持部材との間に設けられるラッチ機構付きヒンジ装置であって、ヒンジ部とラッチ機構から成り、前記ヒンジ部は、前記タブレット型ディスプレイの側に取り付けられるベース部材と、このベース部材の取付基板部より立ち上げた軸受部に回動可能に取り付けられたヒンジシャフトと、このヒンジシャフトと前記軸受部との間に設けられたフリクションワッシャーとスプリングワッシャーから成るチルト機構とで構成し、前記ラッチ機構は、前記ヒンジシャフトへ共に回転可能となるように取り付けられたラッチ用ギアと、前記ヒンジシャフトに挿通されると共に前記ベース部材に対して前記ヒンジシャフトの軸方向へスライド可能に取り付けられたところの前記ラッチ用ギアとその回転方向により係合する係止用歯部を設けたスライド部材と、このスライド部材を前記ラッチ用ギアの方向へ摺動付勢させるために前記ヒンジシャフトに取り付けられた弾性手段と、前記スライド部材に取り付けられ前記ラッチ用ギアと前記係止用歯部との間の係合を解除する解除レバーとで構成したことを特徴とする。
【００１３】
本発明は、上記いずれの発明にあっても、支持部材をタブレット型ディスプレイのスタンド脚部、スタンド、架台、或はタブレットカバーとしたことを特徴とする。
【００１４】
本発発明はさらに、ヒンジシャフトにこれを所定の回転角度で停止させるストッパーピンを設けたことを特徴とする。
【００１５】
本発明はさらに、スライド部材を、ベース部材に設けたレール部に対してスライド可能に係止させたことを特徴とする。
【００１６】
そして本発明は、上記各構成に係るラッチ機構付きヒンジ装置をタブレット型ディスプレイとその支持部材との間に用いたことを特徴とする情報機器である。
【発明の効果】
【００１７】
本発明によれば、何れも部品点数の少ない簡単な構成で、ヒンジシャフトに対するラッチ機構によるロック状態を解除しないと、その回転方向により支持部材（スタンド脚部）がタブレット型ディスプレイに対して回転しないので、回転が規制されている回転方向へ不用意に支持部材を回転させて思わぬ損傷をヒンジ装置や支持部材或は平面型ディスプレイに与えてしまうのを可及的に防止できた上で、使用中にタブレット型ディスプレイに対する傾斜保持角度に変化が生じる恐れがなくなるものである。
【図面の簡単な説明】
【００１８】
【図１】本発明に係るラッチ機構付きヒンジ装置を支持部材に用いた情報機器の使用状態を示す側面図である。
【図２】本発明に係るラッチ機構付きヒンジ装置を支持部材に用いた情報機器の使用状態を示す背面図である。
【図３】本発明に係るラッチ機構付きヒンジ装置の斜視図である。
【図４】本発明に係るラッチ機構付きヒンジ装置の左側面図である。
【図５】本発明に係るラッチ機構付きヒンジ装置の右側面図である。
【図６】本発明に係るラッチ機構付きヒンジ装置の正面図である。
【図７】本発明に係るラッチ機構付きヒンジ装置の底面図である。
【図８】本発明に係るラッチ機構付きヒンジ装置の分解斜視図である。
【図９】本発明に係るラッチ機構付きヒンジ装置の他の実施例を示す斜視図である。
【図１０】本発明に係るラッチ機構付きヒンジ装置のヒンジシャフトの斜視図である。
【図１１】図１０に示したラッチ機構付きヒンジ装置の左側面図である。
【図１２】図１０に示したラッチ機構付きヒンジ装置の右側面図である。
【図１３】図１０に示したラッチ機構付きヒンジ装置の正面図である。
【図１４】図１０に示したラッチ機構付きヒンジ装置の底面図である。
【図１５】本図１０に示したラッチ機構付きヒンジ装置の分解斜視図である。
【発明を実施するための形態】
【００１９】
以下に本発明を情報機器の１種であるタブレット型ディプレイに実施した場合について説明するが、本発明に係るラッチ機構付きヒンジ装置は、このものに限らず、携帯電話機、ＰＤＡ等のその他の情報機器にも用いることができる。また、タブレット型ディスプレイを任意の傾動角度に支持する支持部材として、タブレット脚部を用いた場合について説明するが、支持部材はこのタブレット脚部に限定されるものではない。例えば、タブレット型ディスプレイをスタンドや架台、或はタブレットカバーなどの支持部材に取り付けて用いることができる。したがって、本明細書及び特許請求の範囲では広く支持部材としている。また、以下の説明では、支持部材を閉じた際に、ラッチ機構付きヒンジ装置と支持部材が、タブレット型ディスプレイの背面に突出する構成であるが、これらのものをタブレット型ディスプレイの中に嵌め込み、不使用時に外部へ露出するのを極力制限するように構成することは任意にできることである。
【実施例１】
【００２０】
図面によれば、図１〜図２は、本発明に係るラッチ機構付きヒンジ装置を用いた情報機器の１種であるタブレット型ディスプレイＡを示し、このタブレット型ディスプレイＡ（以下情報機器Ａとも言う）は、平板型を呈し、その裏面側に平面略異形Ｃ型形状を呈した支持部材の１例である支持部材Ｂが本発明に係るラッチ機構付きヒンジ装置Ｃともう一つにヒンジ装置Ｄを介して開閉可能に取り付けられている。
【００２１】
ここでヒンジ装置Ｄの方は  とくにその構成に拘らない公知構成のチルトヒンジ、或はチルトヒンジではない単なる公知構成のピボット型ヒンジであってもよく、とくにその構成に拘りはないので、以下の説明ではその具体的な構成の説明を省略する。要は図２に示したように、そのヒンジシャフトｄに支持部材Ｂの他端部側の取付部Ｂ２をタブレット型ディスプレイＡに対して開閉可能に取り付ける構成であればよい。但し、このヒンジ装置Ｄをチルトヒンジにすると、支持部材Ｂをタブレット型ディスプレイＡに対して開閉させる際に、フリクショントルクが発生するので、チルト機能を有するラッチ機構付きヒンジ装置Ｃと相俟って開閉時の操作フィーリングが向上すると共に、このヒンジ装置Ｄのチルト機構によって本発明に係るラッチ機構付きヒンジ装置Ｃのチルト機構の構成を簡単にすることができる。
【００２２】
図3〜図９は、本発明に係るラッチ機構付きヒンジ装置Ｃを示す。図面によれば、このラッチ機構付きヒンジ装置Ｃは、ヒンジ部１とラッチ機構２から成り、ヒンジ部１はさらにチルト機構３を有している。ヒンジ部１は、タブレット型ディスプレイＡの背面側に取り付けられるベース部材４と、このベース部材４に対して回転可能に取り付けたヒンジシャフト５とで構成されている。チルト機構３は、ヒンジシャフト５とベース部材４との間に当該ヒンジシャフト５の軸方向に設けられており、ラッチ機構２は、ベース部材４とヒンジシャフト５との間に当該ヒンジシャフト５と直交する方向に設けられている。そして、ヒンジシャフト５の一端部には支持部材Ｂの一端部側の取付部Ｂ１が取り付けられている。
【００２３】
さらに詳しくは、ベース部材４は、取付基板部４ａと、この取付基板部４ａの一側部から直角方向へ折り曲げて立設した軸受孔４ｃと係止孔４ｄと係止片４ｇを有する軸受部４ｂと、取付基板部４ａの上部一側の軸受部４ｂ側に位置させて所定間隔を空けて設けた一対の取付板４ｅ、４ｅと、で構成されており、取付板４ｅ、４ｅを設けた取付基板部４ａの部分には変形防止用のリブ４ｆが設けられている。ヒンジシャフト５は、とくに図８と図９に示したように、その一端部側から順に、外周に雄ネジ部５ａを形成させた第１変形小径部５ｂ、第２変形小径部５ｃ、第１円形小径部５ｄ、外周に係止溝５ｅとストッパーピン５ｊを設けたフランジ部５ｆ、第３変形小径部５ｇと、先端側の軸方向へ係止溝５ｈを設けた第２円形小径部５ｉを形成したもので、第１円形小径部５ｄを、ベース部材４の軸受部４ｂに設けた軸受孔４ｃに回転可能に軸受けさせている。
【００２４】
チルト機構３は、実施例１のものは、その中心部軸方向に設けた挿通孔６ａに第１円形小径部５ｄを挿通させつつ、その外周に設けた係止片６ｂをフランジ部５ｆに設けた係止溝５ｅへ係止させて、軸受部４ｂとフランジ部５ｆの間にヒンジシャフト５と共に回転可能となるように介在させた第１フリクションワッシャー６と、その中心部軸方向に設けた挿通孔７ａへヒンジシャフト５の第１円形小径部５ｄを挿通させつつ、その外周に設けた係止片７ｂを軸受部４ｂに設けた係止孔４ｄへ係止させると共に当該軸受部４ｂの外側に当接させて取り付けられた第２フリクションワッシャー７と、その中心部軸方向に設けた挿通孔８ａにヒンジシャフト５の第２変形小径部５ｃを挿通させつつ第２フリクションワッシャー７に接して設けられたスプリングワッシャー８と、その中心部軸方向に設けた変形挿通孔９ａにヒンジシャフト５の第２変形小径部５ｃを挿通させつつこのスプリングワッシャー８に接して設けられた押えワッシャー９と、この押えワッシャー９に接してその雌ネジ部１０ａを雄ネジ部５ａにネジ着させたナットなどの締付部材１０とで構成されている。尚、フリクションワッシャーの数に限定はないので、本願特許請求の範囲と明細書では、第１フリクションワッシャー、第２フリクションワッシャーと言わず、単にフリクションワッシャーと言う場合がある。
【００２５】
また、このチルト機構３は１例であり、この実施例のものに限定されない。要はヒンジシャフト５が回転する際に、必要なフリクショントルクを創出させる構成であればよい。
【００２６】
ラッチ機構２は、ヒンジシャフト５の第３変形小径部５ｇにその中心部軸方向に設けた変形挿通孔１１ａを挿通係合させて取り付けたラッチ用ギア１１と、ベース部材４の取付板４ｅ、４ｅの間に、シャフト１２を介してその略中央部を搖動可能に取り付けた一端部側にラッチ用ギア１１と係合する係止用爪部１３ａを有する解除レバー１３とで構成されている。ラッチ用ギア１１は、実施例では単にその変形挿通孔１１ａを第３変形小径部５ｇ挿入しただけであるが、これを圧入させたり、或は取付ネジを用いて外れないように強固に固定させることは任意である。
【００２７】
尚、実施例１のものは、解除レバー１３の係止用爪部１３ａとラッチ用ギア１１の歯部１１ｂとが、当該解除レバー１３の自重で回転付勢されることによって、係合状態を維持しているが、解除レバー１３とベース部材４の間に、シャフト１２に環巻きさせて、当該解除レバー１３を一方向へ回転付勢させるスプリングを設けることは任意である。
【００２８】
そして、ヒンジシャフト５の第２円形小径部５ｉの端部には、そこに設けた係止溝５ｈと支持部材Ｂの一端側の取付部Ｂ１に設けた係止孔１４ａに設けた係合突起１４ｂを係合させた上で、取付孔１４ｃとヒンジシャフト５の第２円形小径部５ｉに設けた取付孔５ｋを半径方向に貫通するスプリングンピン１５によって、外れる心配なく支持部材Ｂの取付部Ｂ１が取り付けられている。この支持部材Ｂは、上述したように、他端部側の取付部Ｂ２が同じようにしてもう一方のヒンジ装置Ｄのヒンジシャフトｄに取り付けてある。尚、こちら側は、スプリングピンを省略してもよい。
【００２９】
次に、この実施例１に係るラッチ機構付きヒンジ装置Ｃの動作について説明する。まず。支持部材Ｂをタブレット型ディスプレイＡの背面部に当接させた閉止状態から、支持部材Ｂに手をかけて下方へ開くと、この際には支持部材Ｂと共に回転するラッチ用ギア１１の歯部１１ｂと解除レバー１３の係止用爪部１３ａとは互いに係合することなく、ヒンジシャフト５の回転を許容するので、支持部材Ｂは開かれる。開かれた支持部材Ｂは、ヒンジシャフト５のフランジ部５ｆに設けたストッパーピン５ｊが、ベース部材４の軸受部４ｂの縁部に当たることによって、その開成角度が規制される。この支持部材Ｂの最大開成角度は、実施例１のもので閉止時から９０度である。
【００３０】
この最大開成角度から支持部材Ｂを閉じようとすると、開成方向とは逆方向に回転する
ヒンジシャフト５に固定されているラッチ用ギア１１の歯部１１ｂが解除レバー１３の係止用爪部１３ａと噛み合いその回転を阻止する。そこで、解除レバー１３の係止用爪部１３ａとは反対方向の上端部を指で押すことによって、解除レバー１３が回転し、その係止用爪部１３ａとラッチ用ギア１１の歯部１１ｂの係合を解くので、支持部材Ｂは回転を許容されて閉止方向へ回転する。この閉止方向へ回転した支持部材Ｂは、タブレット型ディスプレイＡの背部に当接することによって停止して元位置に戻ることになる。ヒンジ部１のチルト機構３は、支持部材Ｂの開閉操作時にフリクショントルクを創出させて、フリーストップに支持部材Ｂの開閉操作ができるように機能する。また、支持部材Ｂを９０度以内の角度においてラッチ機構２を動作させると、その開閉角度においてラッチ機構により安定保持されてタブレット型ディスプレイＡを、任意の開閉角度に保持することができるものである。
【実施例２】
【００３１】
図１０〜図１４は、本発明に係る情報機器のラッチ機構付きヒンジ装置の他の実施例を示す。図面によれば、この実施例２に係るラッチ機構付きヒンジ装置Ｅは、ヒンジ部２０とラッチ機構２１から成り、ヒンジ部２０はさらにチルト機構２２を有している。ヒンジ部２０は、図示してない実施例１と同じような構成のタブレット型ディスプレイの背面側に取り付けられるベース部材２３と、このベース部材２３の一側部に設けた軸受部２３ｂに対して回転可能に取り付けたヒンジシャフト２４とで構成されている。チルト機構２２は、ヒンジシャフト２４とベース部材２３との間に当該ヒンジシャフト２４の軸方向に設けられており、ラッチ機構２１は、ベース部材２３とヒンジシャフト２４との間に当該ヒンジシャフト２４と平行する方向に設けられている。そして、ヒンジシャフト２４の一端部には支持部材Ｆの一端部側の取付部Ｆ１が取り付けられている。
【００３２】
さらに詳しくは、ベース部材２３は、取付基板部２３ａと、この取付基板部２３ａの一側部から直角方向へ折り曲げて立設した軸受孔２３ｃと係止孔２３ｄと係止片２３ｆを有する軸受部２３ｂと、取付基板部２３ａの上部に所定間隔を空けて設けた一対のレール部２３ｅ、２３ｅと、で構成されている。ヒンジシャフト２４は、とくに図１５に示したように、その一端部側から順に、外周に雄ネジ部２４ａを形成させた第１変形小径部２４ｂ、第２変形小径部２４ｃ、第１円形小径部（実施例１の図９に示したヒンジシャフト５の第１円形小径部５ｄと同じなので図示を省略）、外周に係止溝２４ｅとストッパーピン２４ｊを設けたフランジ部２４ｆ、第３変形小径部２４ｇと、先端側の軸方向へ設けた係止溝２４ｈと取付孔２４ｋを有する第２円形小径部２４ｉを形成したもので、第１円形小径部（図示せず、実施例１の第１円形小径部５ｄと同じ）を、ベース部材２３の軸受部２３ｂに設けた軸受孔２３ｃに回転可能に軸受けさせている。
【００３３】
チルト機構２２は、この実施例２のものは、その中心部軸方向に設けた挿通孔２５ａに第１円形小径部（図示せず、実施例１の第１円形小径部５ｄと同じ）を挿通させつつ、その外周に設けた係止片２５ｂをフランジ部２４ｆに設けた係止溝２４ｅへ係止させて、軸受部２３ｂとフランジ部２４ｆの間にヒンジシャフト２４と共に回転可能となるように介在させた第１フリクションワッシャー２５と、その中心部軸方向に設けた挿通孔２６ａへヒンジシャフト２４の第１円形小径部（図示せず、実施例１の第１円形小径部５ｄと同じ）を挿通させつつ、その外周に設けた係止片２６ｂを軸受部２３ｂに設けた係止孔２３ｄへ係止させると共に当該軸受部２３ｂの外側に当接させて取り付けられた第２フリクションワッシャー２６と、その中心部軸方向に設けた挿通孔２７ａにヒンジシャフト２４の第２変形小径部２４ｃを挿通させつつ第２フリクションワッシャー２６に接して設けられたスプリングワッシャー２７と、その中心部軸方向に設けた変形挿通孔２８ａにヒンジシャフト２４の第２変形小径部２４ｃを挿通させつつこのスプリングワッシャー２７に接して設けられた押えワッシャー２８と、このスプリングワッシャー２８に接してその雌ネジ部２９ａを雄ネジ部２４ａにネジ着させたナットなどの締付部材２９とで構成されている。
【００３４】
尚、このチルト機構２２は１例であり、この実施例のものに限定されない。要はヒンジシャフト２４が回転する際に、必要なフリクショントルクを創出させる構成であればよい。
【００３５】
ラッチ機構２１は、ヒンジシャフト２４の第３変形小径部２４ｇにその中心部軸方向に設けた変形挿通孔３０ａを挿通係合させて取り付けたところのその一側部に複数の係止用歯部３０ｂを設けたラッチ用ギア３０と、ベース部材２３のレール部２３ｅ、２３ｅ間に、そのスライド部３１ａ、３１ａをスライド可能に係合させると共に、ヒンジシャフト２４の第２円形小径部２４ｉを挿通させた挿通孔３１ｂを有し、この挿通孔３１ｂの周りにラッチ用ギア３０と係合する側に複数の係止用歯部３１ｃを突設して成るスライド部材３１と、このスライド部材３１をラッチ用ギア３０の方向へスライド付勢させるために、ヒンジシャフト２４の第２円形小径部２４ｉに環巻させつつ当該スライド部材３１と第２円形小径部２４ｉに取り付けたスプリングピン３２によって抜け止め規制されて設けられた挿通孔３３ａを有するストッパー円盤３３との間に弾設された例えば圧縮コイルスプリングから成る弾性手段３４と、スライド部材３１に設けた取付雌螺子部３１ｄその先端に設けた雄ネジ部３５ａをネジ着させて設けた解除レバー３５とで構成されている。ラッチ用ギア３０は、実施例では単にその変形挿通孔３０ａを第３変形小径部２４ｇ挿入しただけであるが、これを圧入したり、或は取付ネジを用いて外れないように強固に固定させることは任意である。尚、指示記号３０ｃは、ラッチ用ギヤ３０をヒンジシャフト２４の第３変形小径部２４ｇへ固定するための、例えば固定用のスプリングピンである。
【００３６】
そして、ヒンジシャフト２４の第２円形小径部２４ｉの端部には、そこに設けた係止溝２４ｈを支持部材Ｆの取付部Ｆ１に設けた取付孔３６ａの係合突起３６ｂと係合させた上で、取付孔３６ｃにスプリングピン３２を取り付けることによって、外れる心配なく支持部材Ｆの取付部Ｆ１が取り付けられている。支持部材Ｆのもう一方の取付部は実施例１のものと同じであるので、図示と説明を省略する。
【００３７】
次に、この実施例２に係るラッチ機構付きヒンジ装置Ｅの動作について説明する。まず、その一部のみを表示した支持部材Ｆを、この実施例２では図示してない実施例１のタブレット型ディスプレイＡの背面部に当接させた閉止状態から、支持部材Ｆに手をかけて開くと、この際には支持部材Ｆと共に回転するラッチ用ギア３０の歯部とスライド部材３１の係止用歯部３１ｃとは互いに係合することなく、ヒンジシャフト２４の回転を許容するので、支持部材Ｆは開かれる。開かれた支持部材Ｆは、ヒンジシャフト２４のフランジ部２４ｆに設けたストッパーピン２４ｊが、ベース部材２３の軸受部２３ｂに当たることによって、その開成角度が規制される。この支持部材Ｆの最大開成角度は、実施例１のもので閉止時から９０度である。
【００３８】
この最大開成角度から支持部材Ｆを閉じようとすると、開成方向とは逆方向に回転するヒンジシャフト２４に固定されているラッチ用ギア３０の歯部がスライド部材３１の係止用歯部３１ｃと噛み合いその回転を阻止する。そこで、スライド部材３１に取り付けた解除レバー３５を指で摘まみ弾性手段３４の弾力に抗して引っ張ると、スライド部材３１に設けた係止用歯部３１ｃとラッチ用ギア３０に設けられた歯部との間の係合状態が解除されるので、ヒンジシャフト２４の回転が許容され、支持部材Ｆの回転が可能となり、支持部材Ｆを元位置へ戻すことが可能となるものである。このように実施例２に係るものも、支持部材Ｆを元位置に戻す時にラッチ機構２１が動作するので、タブレット型ディスプレイに対するラッチ操作を繰り返しても、当該タブレット型ディスプレイの傾動角度が変化するのを防止できるものである。また、タブレット型ディスプレイを操作する際の開成角度を、任意に設定できるものである。
【００３９】
以上の実施例１と２にいずれにおいても、ヒンジ部１、２０にチルト機構３、２２があると、支持部材Ｂ、Ｆの開閉操作の操作フィーリングは向上するが、支持部材Ｂ、Ｆを開く方向にラッチ機構２、２１が動作せず、閉じる方向へラッチ機構２、２１が動作するように構成すると、チルト機構３、２２を省略しても、開閉操作に大きな支障は生じないので、このように構成してもよい。
【００４０】
また、ストッパーピン５ｊ、２４ｊは、支持部材Ｂ、Ｆを開く方向にラッチ機構２、２１が動作せず、閉じる方向へラッチ機構２、２１が動作するように構成すると、これがなくとも大きな支障は生じないので、このストッパーピン５ｊ、２４ｊを省略することができる。
【００４１】
さらに、実施例１と２のいずれのものにあっても、また、上述したように、支持部材Ｂ、Ｆのラッチ機構２、２１によってヒンジ部１、２０が動作しないので、支持部材Ｂ、Ｆの動作方向に対して操作者に注意を喚起でき、思わぬ力が加わってヒンジ装置Ｄ、Ｅのヒンジ部１、２０が壊れてしまう心配がないものである。
【産業上の利用可能性】
【００４２】
以上説明したところから解かるように、本発明に係るラッチ機構付きヒンジ装置は、簡単な構成を有し、とくに、タブレット型ディスプレイのような情報機器を、卓上において操作する際に画面を見やすい角度に固定できることから、画面操作をしやすく、これらのとくに画面に対するラッチ操作を行う情報機器のラッチ機構付きヒンジ装置として、好適に用いられるものである。
【符号の説明】
【００４３】
Ａ  タブレット型ディスプレイ（情報機器）
Ｂ  支持部材
Ｃ  ラッチ機構付きヒンジ装置
ｄ、５、２４  ヒンジシャフト
Ｅ  ラッチ機構付きヒンジ装置
Ｆ  支持部材
１、２０  ヒンジ部
２、２１  ラッチ機構
３、２２  チルト機構
４、２３  ベース部材
４ａ、２３ａ  取付基板部
４ｂ、２３ｂ  軸受部
５ｊ、２４ｊ  ストッパーピン
６、２５  第１フリクションワッシャー
７、２６  第２フリクションワッシャー
８、２７、２８  スプリングワッシャー
１１、３０  ラッチ用ギア
１１ｂ  歯部
１３、３５  解除レバー
１３ａ  係止用爪部
２３ｅ  レール部
３０ｂ、３１ｃ  係止用歯部
３１  スライド部材
３４  弾性手段
【図１】
2014214783.tif 000003
【図２】
2014214783.tif 000004
【図３】
2014214783.tif 000005
【図４】
2014214783.tif 000006
【図５】
2014214783.tif 000007
【図６】
2014214783.tif 000008
【図７】
2014214783.tif 000009
【図８】
2014214783.tif 000010
【図９】
2014214783.tif 000011
【図１０】
2014214783.tif 000012
【図１１】
2014214783.tif 000013
【図１２】
2014214783.tif 000014
【図１３】
2014214783.tif 000015
【図１４】
2014214783.tif 000016
【図１５】
2014214783.tif 000017